(57)【要約】【課題】  小さな筐体でも排気温を低減することができるプロジェクタを提供する。【解決手段】  光源装置63と、光源側光学系61と、投影画像を生成する表示素子51と、投影画像を投影する投影側光学系62と、光源装置63を冷却する冷却ファン110と、冷却ファン110が光源装置63を冷却することにより発生する高温の空気の温度を低減する排気温低減装置114と、排気温低減装置114からの排気を外部に排出する排気孔とを備えたプロジェクタとし、排気温低減装置114はヒートパイプ115とフィン116から構成し、排気温低減装置114は光源室120と空冷室127を貫通させて配置している。【選択図】      図４
2007148199.tif 000002
【特許請求の範囲】
【請求項１】
光源装置と、
光源側光学系と、
投影画像を生成する表示素子と、
生成した投影画像を投影する投影側光学系と、
前記光源装置を冷却する冷却ファンと、
当該冷却ファンが光源装置を冷却することにより発生する高温の空気の温度を低減する排気温低減装置とを備え、
前記光源装置からの熱を遮断するための光源室を有すると共に、
当該光源室の前面を覆うプロジェクタの前面板に光源室からの排気を外部に排出する排気孔を有し、
更に、当該光源室の近傍には送風ファンを有し、前記排気温低減装置の一部を前記光源室から突出させて前記送風ファンの近傍に位置させていることを特徴とするプロジェクタ。
【請求項２】
前記排気温低減装置は、前記前面板と前記光源装置との間に配置されて、当該前面板の近傍に位置していることを特徴とする請求項１に記載のプロジェクタ。
【請求項３】
前記排気温低減装置は、ヒートパイプと、板状で複数枚からなるフィンとを備え、前記ヒートパイプは前記板状で複数枚からなるフィンの板面の中心部を貫通して繋いでいることを特徴とする請求項１又は請求項２に記載のプロジェクタ。
【請求項４】
前記フィンは、前記ヒートパイプの長手方向に垂直に取付けられていることを特徴とする請求項３に記載のプロジェクタ。
【請求項５】
前記フィンは、前記ヒートパイプに斜めに取付けられていることを特徴とする請求項３に記載のプロジェクタ。
【請求項６】
前記フィンは、板面を折り曲げて加工されていることを特徴とする請求項３乃至請求項５の何れかに記載のプロジェクタ。
【請求項７】
前記光源室の近傍に空冷室を有し、前記送風ファン及び前記光源室から突出した排気温低減装置の一部は、当該空冷室内に配置されていることを特徴とする請求項１乃至請求項６の何れかに記載のプロジェクタ。
【請求項８】
前記空冷室と前記光源室は一つの隔壁を共用しており、前記排気温低減装置は、当該隔壁を貫通して設置されていることを特徴とする請求項７に記載のプロジェクタ。
【請求項９】
前記送風ファンは、筐体内の空気を空冷室を介して前記前面板の排気孔から外部へ排出する排気ファンであることを特徴とする請求項７又は請求項８に記載のプロジェクタ。
【請求項１０】
前記送風ファンは、外気を前記空冷室へ吸気して前記前面板の排気孔から排出する吸気ファンであることを特徴とする請求項７又は請求項８に記載のプロジェクタ。
【請求項１１】
筐体内に第１の熱源と、この第１の熱源よりも発熱の少ない第２の熱源とを有した電気機器において、
前記第１の熱源を冷却する第１の冷却ファンと、
前記筐体内を冷却する第２の冷却ファンと、
前記第１冷却ファンが前記第１の熱源を冷却することにより発生する高温の空気の温度を低減する排気温低減装置とを備え、
前記排気温低減装置は、その一部が前記第１冷却ファンの排気に接触し、かつ他の一部が前記第２冷却ファンの排気に接触することを特徴とする電気機器。
【発明の詳細な説明】
【技術分野】
【０００１】
本発明は、ビデオ信号等に基づいて画像を投影するデータプロジェクタ等の筐体内に熱源を有する機器に関するものである。
【背景技術】
【０００２】
今日、パーソナルコンピュータの画面やビデオ画像、更にメモリカード等に記憶されている画像データによる画像等をスクリーンに投影する画像投影装置としてのデータプロジェクタが多用されている。
【０００３】
このデータプロジェクタは、メタルハイランドランプや超高圧水銀ランプ等の小型高輝度の光源を内蔵し、光源からの光を順次赤色フィルタ、緑色フィルタ、青色フィルタを用いて赤、緑、青の光とし、レンズにより液晶表示素子やＤＭＤと呼ばれるマイクロミラー表示素子に集光させ、この表示素子によりプロジェクタ装置の投影口に向けて透過又は反射させる光の量によりスクリーン状にカラー画像を表示させるものである。
【０００４】
このマイクロミラー表示素子は、微小なミラーセルを制御信号により揺動させ、反射光の方向を制御し、照明側光学系により表示素子に入射された光を投影側光学系である投影レンズの方向に反射するオン状態光と光吸収板の方向に反射するオフ状態光とし、赤色光、緑色光、青色光の光をオン状態とする時間を制御してスクリーンにカラー画像を投影するものである。
【０００５】
このようなデータプロジェクタにおいて、光源であるメタルハイランドランプや超高圧水銀ランプ等は高温になるため、冷却する必要がある。特開２００１−３１２００２号公報（特許文献１）では、ヒートパイプと冷却ファンを用いて、プロジェクタの光学ユニット内で空気を循環させて、光源の温度を冷却する技術について提案されている。しかしながら、このように光学ユニットの内部で空気を循環させる場合、長時間点灯を続けると内部の温度が上がってしまうという問題点があった。
【０００６】
又、外部の空気を取り入れて光源を冷却する技術も多々提案されているが、光源は数百から千度近く迄高温となり、これらの光源を冷却した高温排熱風と外気とを混合するためには、熱源から距離が必要な場合が多く、筐体の厚さを厚くしたり、筐体の大きさを大きくしたりする必要が生じていた。又、高温排熱風は、排気口やその周辺を加熱するという不具合もあった。
【特許文献１】特開２００１−３１２００２号公報
【発明の開示】
【発明が解決しようとする課題】
【０００７】
本発明は、上述したような従来技術の問題点に鑑みてなされたものであり、小さな筐体でも、光源装置から外部に排出される高温の排風の排気温を低減することができるプロジェクタ等の電気機器を提供することを目的とする。
【課題を解決するための手段】
【０００８】
本発明のプロジェクタは、光源装置（63）と、光源装置（63）の光を伝達する光源側光学系（61）と、光源側光学系（61）からの光を受けて投影画像を生成する表示素子（51）と、表示素子（51）の生成した投影画像を投影する投影側光学系（62）と、光源装置（63）を冷却する冷却ファン（110）と、冷却ファン（110）が光源装置（63）を冷却することにより発生する高温の空気の温度を低減するための、ヒートパイプ（115）と板状の複数枚のフィン（116）とからなる排気温低減装置（114）とを備え、光源装置（63）からの熱を遮断するための光源室（120）を有すると共に、光源室（120）の前面を覆うプロジェクタの前面板（12）に光源室（63）からの排気を外部に排出する排気孔（17）を有し、更に、光源室（63）の近傍には送風ファンを有し、排気温低減装置（114）の一部を光源室（63）から突出させて送風ファンの近傍に位置させていることを特徴とする。
【０００９】
又、フィン（116）は、ヒートパイプ（115）の長手方向に垂直に取付けられている場合と、斜めに取付けられている場合、及び、フィン（116）の板面を折り曲げて加工されている場合とがある。
【００１０】
又、光源室（120）の近傍に空冷室（12７）を設け、送風ファン（１17）は空冷室（12７）内に位置し、排気温低減装置（114）は空冷室（12７）と光源室（114）とを貫通して設置することがある。
【００１１】
更に、送風ファンは筐体内の空気を空冷室（12７）を介して前面板（12）の排気孔から外部へ排出する排気ファン（１17）とする場合と、空冷室（12７）へ吸気し前面板（12）の排気孔（17）から排出する吸気ファン（118）とする場合とがある。
【００１２】
そして、本発明としては、筐体内に第１の熱源と、この第１の熱源よりも発熱の少ない第２の熱源とを有し、第１の熱源を冷却する第１の冷却ファンと、筐体内を冷却する第２の冷却ファンと、第１冷却ファンが前記第１の熱源を冷却することにより発生する高温の空気の温度を低減する排気温低減装置とを備える電気機器とすることがある。そして、この排気温低減装置は、その一部が第１冷却ファンの排気に接触し、かつ他の一部が第２冷却ファンの排気に接触するものである。
【発明の効果】
【００１３】
本発明によれば、小さな筐体でも光源装置から外部に排出する排風の排気温を低減することができるプロジェクタ等の電気機器を提供することができる。
【発明を実施するための最良の形態】
【００１４】
発明を実施するための最良の形態のプロジェクタ10は、略直方体形状であり、光源装置63と、光源装置63の光を伝達する光源側光学系61と、光源側光学系61からの光を受けて画像を作成する表示素子51と、表示素子51の作成した画像を投影する投影側光学系62と、光源装置63を冷却する冷却ファン110と、冷却ファン110が光源装置を冷却することにより発生する高温の空気の温度を低減する排気温低減装置114と、光源装置63の熱を光学系から遮熱するための光源室120と、光源室120の近傍に位置する空冷室127と、空冷室127の内部に位置し排気温低減装置114を冷却する送風ファン117とを有する。
【００１５】
又、光源室120や空冷室127からの排熱風を外部に排出するルーバー20を備えた排気孔17を前面板12に備えるものである。
そして、光源室120は、壁体である第１隔壁121と、第２隔壁122と、第３隔壁123と、第４隔壁124と、第５隔壁125とによりプロジェクタ10内の室内と区画され、前方に前面板12が設けられると共に、上方をハウスカバー130で覆うことにより構成されている。
【００１６】
又、空冷室127は、壁体である第２隔壁122と、第６隔壁126とによりプロジェクタ10内の室内と区画され、前方に前面板12が設けられると共に、上方をハウスカバー130で覆うことにより構成され、プロジェクタ10の側壁に設けた吸気口18から吸気ファン118により外気を吸い込み、空冷室127の内部に突出する排気温低減装置114を冷却して排気温低減装置114を冷却した空気を前面板12の排気孔17から排出させるものとする。
【００１７】
本実施の形態によれば、小さな筐体でもプロジェクタ10の前方に排出する熱風が極部的に高温となることを防止し、高温となる光源装置63を効果的に冷却することのできるプロジェクタを提供することができる。
【実施例】
【００１８】
以下、本発明の実施例を図に基づいて詳説する。本発明の一つの実施例に係るプロジェクタは、図１に示すように、略直方体形状であって、本体ケースである前面板12の側方に投影口を覆うレンズカバー19を有すると共に、この前面板12には複数の排気孔17を設け、排気孔17には筐体内の光が外部に漏れないようにすると共に排熱風が投影口の前方に流れないようにするためのルーバー20を設けている。
【００１９】
又、図１には図示を省略しているも、本体ケースである上面板11にはキー／インジケータ部を設けるものであり、このキー／インジケータ部には、電源スイッチキーや電源のオン又はオフを報知するパワーインジケータ、光源装置のランプを点灯させるランプスイッチキー及びランプの点灯を表示するランプインジケータ、光源装置等が過熱したときに報知をする過熱インジケータ等のキーやインジケータを設けるものである。
【００２０】
更に、図示しない本体ケースの背面には、背面板にＵＳＢ端子や画像信号入力用のＤ−ＳＵＢ端子、Ｓ端子、ＲＣＡ端子等を設ける入出力コネクタ部及び電源アダプタプラグやリモートコントローラからの制御信号を受信するＩｒ受信部等を設けているものである。
【００２１】
尚、図１には図示しない本体ケースの側板である右側板14、及び、図１に示した側板である左側板15には、各々複数の吸気孔18を設けているものである。
【００２２】
そして、このプロジェクタ10の制御回路は、図２に示すように、制御部38、入出力インターフェース22、画像変換部23、表示エンコーダ24、表示駆動部26等を有するものであって、入出力コネクタ部21から入力された各種規格の画像信号は、入出力インターフェース22、システムバス（ＳＢ）を介して画像変換部23で表示に適した所定のフォーマットの画像信号に統一するように変換された後、表示エンコーダ24に送られるものである。
【００２３】
又、表示エンコーダ24は、送られてきた画像信号をビデオＲＡＭに展開記憶させた上でこのビデオＲＡＭの記憶内容からビデオ信号を生成して表示駆動部26に出力するものである。
【００２４】
そして、表示エンコーダ24からビデオ信号が入力される表示駆動部26は、送られてくる画像信号に対応して適宜フレームレートで空間的光変調素子（ＳＯＭ）である表示素子51を駆動するものであり、光源装置63からの光を光源側光学系を介して表示素子51に入射することにより、表示素子51の反射光で光像を生成し、投影側光学系とする投影系レンズ群を介して図示しないスクリーンに画像を投影表示するものであり、この投影系レンズ群の可動レンズ群97は、レンズモータ45によりズーム調整やフォーカス調整のための駆動が行われるものである。
【００２５】
又、画像圧縮伸長部31は、画像信号の輝度信号及び色差信号をＡＤＴＣ及びハフマン符号化等の処理によりデータ圧縮して着脱自在な記録媒体とされるメモリカード32に順次書き込む記録処理や、再生モード時はメモリカード32に記録された画像データを読み出し、一連の動画を構成する個々の画像データを１フレーム単位で伸長して画像変換部23を介して表示エンコーダ24に送り、メモリカード32に記憶された画像データに基づいて動画等の表示を可能とするものである。
【００２６】
そして、制御部38は、プロジェクタ10内の各回路の動作制御を司るものであって、ＣＰＵや各種セッティング等の動作プログラムを固定的に記憶したＲＯＭ及びワークメモリとして使用されるＲＡＭ等により構成されている。
【００２７】
又、本体ケースの上面板11に設けられるメインキー及びインジケータ等により構成されるキー／インジケータ部37の操作信号は、直接に制御部38に送出され、リモートコントローラからのキー操作信号は、Ｉｒ受信部35で受信され、Ｉｒ処理部36で復調されたコード信号が制御部38に送られるものである。
【００２８】
尚、制御部38にはシステムバス（ＳＢ）を介して音声処理部47が接続されており、音声処理部47はＰＣＭ音源等の音源回路を備え、投影モード及び再生モード時には音声データをアナログ化し、スピーカ48を駆動して拡声放音させることができるものである。
【００２９】
又、この制御部38は、電源制御回路41を制御するものであり、ランプスイッチキーが操作されると電源制御回路41により光源装置63のランプを点灯させ、更に、冷却ファン駆動制御回路43には光源装置63等に設けた温度センサーによる温度検出を行わせ、冷却ファンの回転速度を制御させるものである。
【００３０】
そして、これらのＲＯＭ、ＲＡＭ、ＩＣや回路素子は、主制御基板としての制御回路基板103に取付けるものであり、電力系の電源制御回路41はランプ電源回路ブロック101に組み込み、制御系の主制御基板とした制御回路基板103と電力系のランプ電源回路ブロック101とを分けて形成しているものである。
【００３１】
又、このプロジェクタ10の内部構造は、図３乃至図５に示すように、電源制御回路41を組み込んだランプ電源回路ブロック101を右側板14の近傍に配置し、底面板16の略中央にシロッコファンタイプのブロア110を冷却ファンとして配置し、ブロア110の吐出口113近傍に光源室120を配置し、光源室120の右端部近傍に空冷室127を配置し、空冷室127とランプ電源回路ブロック101等の回路や各種部材との境界に排気ファン117を配置し、投影側光学系62を左側板15に沿って配置し、ブロア110と投影側光学系62との間で光源室120の背面側に光源側光学系61を配置している。
【００３２】
光源室120は、図６に示すように、壁体である第１隔壁121と、第２隔壁122と、第３隔壁123と、第４隔壁124と、第５隔壁125とによりプロジェクタ内の室内と区画され、前方に前面板12が設けられると共に、図５に示すように上方をハウスカバー130で覆うことにより構成されている。又、内部には光源装置63と、第１反射ミラー72と、カラーホイール71と、ホイールモータ73と、導光ロッド75の一部と、排気温低減装置114の一部とを備え、ブロア110の吐出口113に接続してブロア110の排気全てが光源室120内に排出されるようにしている。
【００３３】
第１隔壁121は、まずブロア110の吐出口113から前面板12と右側面14との略交点方向に任意の長さ斜設し、次に当該斜設部の端部から前面板12と平行に右側面14に向かって少し突出している。
【００３４】
第２隔壁122は、光源室120と空冷室127とを区画するための隔壁であり、第１隔壁121の端部から右側面14に平行に前面板12に至る。尚、前面板12の近傍で排気温低減装置114を貫通させている。
【００３５】
第３隔壁123は、ブロア110の吐出口113からの排気風の一部をカラーホイール71及びホイールモータ73に流すための壁であり、ブロア110の吐出口113から左側面１３と背面板15との略交点方向に任意の長さ斜設している。又、ブロア110の排出口113からの排出空気が直接カラーホイール71に当たるように通気孔やスリットが成型されている。
【００３６】
第４隔壁124は、光源側光学系61と光源装置63とを区切るための壁であり、第２隔壁122の端部から導光ロッド75を貫通させて投影側光学系62近傍に至る。
【００３７】
第５隔壁125は、投影側光学系61と光源装置63とを隔てるための壁であり、投影側光学系62に高温の空気が流れ込むことを防止するために設けている。第５隔壁125は、第４隔壁124の端部から左側面１３と平行に前面板12に至る。
【００３８】
空冷室127は、壁体である第２隔壁122と、第６隔壁126とによりプロジェクタ内の室内と区画され、前方に前面板12が設けられると共に、上方をハウスカバー130で覆うことにより構成されており、内部には、排気温低減装置114の一部と、排気ファン117とを備える。
【００３９】
第６隔壁126は、前面板12とランプ電源回路ブロック101等の回路や各種部材との間に空間を成型するための隔壁であり、第１隔壁121と、第２隔壁122との交点から前面板12に平行に右側面14の近傍まで直進し、その後右側面14と平行に前面板12に至る。第６隔壁126のランプ電源回路ブロック101等の回路や各種部材と面している面には、ランプ電源回路ブロック101等の回路や各種部材を冷却した空気を、排気ファン117が吸気して排気温低減装置114に排気できるように通気孔やスリットが設けられている。
【００４０】
尚、第１隔壁121と、第２隔壁122と、第３隔壁123と、第４隔壁124と、第５隔壁125、及び、ハウスカバー130は断熱性を有する板材を用いている。これにより光源室120内の熱が外部に漏れるのを防ぐことができる。
又、第６隔壁126は第１隔壁121と連続した一体の壁体とすることもあり、この第６隔壁126には通気孔やスリットを設けることで、ランプ電源回路ブロック101等の回路や各種部材を冷却した空気を排気ファンが排気できるようにしているが、第６隔壁126に直接排気ファン117を取付けることも可能である。
【００４１】
そして、排気温低減装置114は、熱伝導性部材であり、本実施例では内壁に毛細管構造を持ち内部が真空の金属パイプに純水、パーフルオロカーボン等の作動液が密封されているヒートパイプ115と、フィン116を用いており、前面板12と平行に前面板12の近傍に配置されている。
【００４２】
排気温低減装置114の構造は、長い棒状のヒートパイプ115が、板状で複数枚のフィン116の中心部を貫通して繋いでいる形状となっており、第２隔壁122を貫通している部分の近傍はフィン116を取外している。このとき、フィン116はヒートパイプ115に垂直に真っ直ぐの向きで取付けられている。つまり、光源室120と空冷室127は第２隔壁122を挟んで両側に位置しており、第２隔壁122に垂直に排気温低減装置114が貫通している形状である。
【００４３】
このようにフィン116をヒートパイプ115に取付けることにより、光源室120側に位置するフィン116では高温の排気から吸熱してヒートパイプ115に熱を逃し、空冷室127側に位置するフィン116では空冷室127内に放熱することができ、排気温低減装置114の全体で均一の温度に保つと共に、排気温低減装置114の温度を低く保つことができる。これにより本実施例では、光源室120側の高温を空冷室127側に効率的に移動させ、排気温低減装置114全体では比較的低温に保つことができる。尚、ヒートパイプ115とフィン116は別成型でも、一体成型でも同様の効果を得ることができる。
【００４４】
そして、このプロジェクタ10の光学系は、図４又は図６に示すように、防爆ガラス68で前面を覆ったリフレクタ65の内部に超高圧水銀ランプを放電ランプ64として設けた光源装置63と、この光源装置63から射出された光を表示素子51とするＤＭＤ（デジタル・マイクロミラー・デバイス）に照射する光源側光学系61と、表示素子51と、表示素子51で反射されて画像を形成する光をスクリーンに放出する投影側光学系62のレンズ群で構成するものである。
【００４５】
又、光源側光学系61は、光源装置63から射出された光をカラーホイール71に反射する第１反射ミラー72と、赤色光、緑色光、青色光とするカラーフィルタを周囲に設けてホイールモータ73により回転されるカラーホイール71と、カラーホイール71のフィルタを透過した光を均一な強度分布の光束とする導光ロッド75と、導光ロッド75から射出された光の向きを９０度変更する第２反射ミラー74と、この第２反射ミラー74により反射した光を表示素子51に集光させる複数枚のレンズで形成した光源側レンズ群83及び光源側レンズ群83を透過した光を表示素子51に所定の角度で照射する照射ミラー85などで形成している。
【００４６】
この第２反射ミラー74はミラー固定具70でハウスカバー130に固定しているものである。
尚、本実施例では第２反射ミラー74を用いているが、導光ロッド75からの光の向きを変えることをできればよく、導光ロッド75とプリズムを組み合わせて用いることでも同様の効果を得ることができる。
【００４７】
又、この実施例では、導光ロッド75の一部とカラーホイール71などを光源室120内に配置しているも、カラーホイール71や導光ロッド75などを光源室120の外部に配置するようにして光源室120を形成することもある。
【００４８】
更に、投影側光学系62としては、固定鏡筒91に内蔵する固定レンズ群93と可動鏡筒95に内蔵する可動レンズ群97として、ズーム機能を備えた可変焦点型レンズとしているものであり、レンズモータ45により可動レンズ群97を移動させてズーム調整やフォーカス調整を可能としているものである。
【００４９】
又、背面板13には、表示素子51の後方部分に吸気孔18を設け、背面板15と表示素子取付け板55とにより空気の流通路を形成して背面板15に設けた吸気孔18及び左側板15の後方に設けた吸気孔18から吸い込まれる外気を背面板15に沿ってブロア110方向に流すようにしている。
【００５０】
そして、表示素子取付け板55の後方には表示素子放熱板53を配置するものであり、制御回路基板103は２枚の制御基板としてこの２枚の制御回路基板103の間や２枚の制御回路基板103の上方又は下方において、制御回路基板103に沿って流れる空気がブロア110の吸込み口111に吸い込まれるようにしている。
【００５１】
従って、このブロア110を回転させると、冷却ファンとしたブロア110はブロア110の周辺の空気を吸い込み、プロジェクタ10内部のブロア110周辺の空気を吸い込むことによりプロジェクタ10の本体ケースに設けた多数の吸気孔18からプロジェクタ10の内部に外気を吸い込むものである。
【００５２】
そして、左側板15における後方の吸気孔18や背面板13に設けた吸気孔18から吸い込まれる外気の一部は、表示素子放熱板53を冷却するように背面板13と表示素子取付け板55との間の空気流通路を流れ、制御回路基板103に沿って制御回路基板103の上面や下面及び制御回路基板103の相互間の空間を通ってブロア110の吸込み口111に吸い込まれる。又、左側板15の吸気孔18から吸気されたその他の外気は、投影側光学系62や第２反射ミラー74、導光ロッド75の露出部等を冷却し、ブロア110の吸込み口111に吸い込まれる。
【００５３】
又、右側板14の吸気孔18からプロジェクタ10の内部に吸い込まれる外気は、一部はランプ電源回路ブロック101の周囲を通るようにして制御回路基板103に至り、制御回路基板103に沿って流れるようにしてブロア110の吸込み口111に吸い込まれる。又、残りの吸い込まれた外気は、排気ファン117により第６隔壁126の通気孔に吸込まれ、排気温低減装置114を冷却してから前面板12より外部に排出される。
【００５４】
又、光源室120に吹き込まれるブロア110の排気流は、一部が第３隔壁123の通気孔よりカラーホイール71に沿って流れ、大部分は光源装置63の周囲を、又、図５及び図６に示すように、光源装置63の周囲を流れる空気の一部はリフレクタ65に設けられた開口部からリフレクタ65の内部を通るように流れ、光源装置63やカラーホイール71を冷却する。
【００５５】
光源装置63やカラーホイール71を冷却した後の光源室120内の高温の空気は、第１隔壁121と第２隔壁122とに誘導されて排気温低減装置114に流れ込み、ここで温度が低減され、前面板12の排気孔17より外部に放出される。
【００５６】
このように、光源装置63を冷却した後の高温の空気がヒートパイプ115とフィン116により冷却されるので、冷却された空気を外部に排出することができ、前面板12の排気孔17に設けられたルーバー20が高温になることを防ぐことができる。又、フィン116がヒートパイプ115に垂直に真っ直ぐ成型されていることにより、光源装置63からの空気の排気抵抗を少なくすることができ、フィン116の温度が高くなることを防ぐことができる。
【００５７】
又、排気温低減装置114は、高温の排気となる光源室120と、排気ファン117により筐体内の比較的低音の空気を流して排気する空冷室127側とに分かれているため、全体では比較的低温に保つことができ、光源室120からの排気を低温な排気として外部に排出することができる。尚、冷却ファンはシロッコファンタイプのブロア110に限るものではない。
【００５８】
そして、排気温低減装置114で用いるフィン116は、ヒートパイプ115に垂直に真っ直ぐ成型したものに限ることなく、他の構成とすることも可能である。
例えば、図７に示すように、フィン116を第４隔壁124側に少し回転させ、ヒートパイプ115に対して傾いた状態で固定することもある。
【００５９】
これにより、光源室120からの排出風が投影口の前方方向に流れることを防止できる。
従って、投影側光学系62からスクリーンに照射される光の中に高温の空気が流れることにより発生する投影画像の揺らぎをより効率的に防止することができる。又、角度を設けたために空気抵抗が上がり、排出する空気の温度をより効果的に下げることができる。
【００６０】
更に、図８〜図１０に示すように、板状のフィン116を折り曲げ加工することとし、この折り曲げ加工したフィン116をヒートパイプ115に取付けることもある。これにより、投影口の前方方向に高温の排気が流れること防止でき、投影される光に高温の空気が流れ込むことにより発生する投影画像の揺らぎを防止することができる。又、角度があるために空気抵抗が上がり、排出する空気の温度を効果的に下げることができる。
【００６１】
更に、途中で折り曲げているために外部に光が漏れなくなり、前面板12の排気孔17にルーバー20を取付ける必要がなく、前面板12の排気孔17での排気抵抗を減少させて排気効率を良くすることができる。
尚、折り曲げる場所は特に限定されるものでなく、図に示したように、ヒートパイプ115と直交する部分を少なくしたフィン116とする場合や、ヒートパイプ115と直交する部分と傾斜する部分とを略等しくする場合、直交する部分を多くしたフィン116とする場合などがある。
【００６２】
次に本発明の他の実施例について述べる。本実施例のプロジェクタ10は、空冷室127の構造に特徴を有する。本実施例の空冷室127は、図１１に示すように第２隔壁122と、第７隔壁１２８と、前面板12と、右側面14とに囲まれて成型されている。
【００６３】
第７隔壁１２８は、第１隔壁121と第２隔壁122との交点から、前面板12に平行に右側面14に至る。又、右側面14近傍で、第７隔壁１２８と前面板12との間には吸気ファン１１８が配置されている。
【００６４】
吸気ファン１１８は外気を右側面14の吸気孔18から空冷室127内に吸気し、この吸気した低温の空気が外気温低減装置114の空冷室127側を冷やす。これにより、ヒートパイプ115を低温に維持することができ、光源室120側の外気温低減装置114の温度も低く保つことができる。
【００６５】
又、前実施例ではランプ電源回路ブロック101等の回路や各種部材を冷却した空気を利用して外気温低減装置114を冷却していたが、本実施例では外気を外気温低減装置114を冷却するために直接利用するので、より冷却効果を高めることができる。
尚、他の構成は前実施例と同様である。
又、本実施例では空冷室127を設けて、空冷室127内に排気ファン117を設置したが、電源回路ブロック101等の回路や各種部材を冷却した空気の一部が排気温低減装置114を冷却することができる構造であればよく、空冷室127を設けずに排気ファン117を設置することでも同様の効果を得ることができる。
【００６６】
そして、本発明の排気温低減装置は、プロジェクタに限定されるものでなく、筐体内に上述したプロジェクタでいうと光源にあたる第１の熱源と、この第１の熱源よりも発熱の少ない上述したプロジェクタでいうと回路基板等にあたる第２の熱源とを有し、第１の熱源を冷却する第１の冷却ファンと、筐体内を冷却する第２の冷却ファンと、第１冷却ファンが第１の熱源を冷却することにより発生する高温の空気の温度を低減する排気温低減装置とを備え、排気温低減装置は、その一部が第１冷却ファンの排気に接触し、かつ他の一部が第２冷却ファンの排気に接触する構造を持つ電気機器として活用することができ、リアプロジェクションＴＶ、パーソナルコンピュータ、あるいは燃料電池を用いた機器等に適用することもできる。
【００６７】
そして、本発明は、以上の実施例に限定されるものでなく、発明の要旨を逸脱しない範囲で自由に変更、改良が可能である。
【図面の簡単な説明】
【００６８】
【図１】本発明の一つの実施例にかかるデータプロジェクタの外観を示す図。
【図２】本発明の一つの実施例にかかるデータプロジェクタの制御ブロック図。
【図３】本発明の一つの実施例にかかるデータプロジェクタの上面板を取り除いた斜視図。
【図４】本発明の一つの実施例にかかるデータプロジェクタの上面板とハウスカバーを取り除いた斜視図。
【図５】本発明の一つの実施例にかかるデータプロジェクタの空気の流れを示す斜視図。
【図６】本発明の一つの実施例にかかるデータプロジェクタの光源室の説明図。
【図７】本発明の一つの実施例にかかるデータプロジェクタの光源室の説明図。
【図８】本発明の一つの実施例にかかるデータプロジェクタの光源室の説明図。
【図９】本発明の一つの実施例にかかるデータプロジェクタの外気温低減装置の概観図。
【図１０】本発明の一つの実施例にかかるデータプロジェクタの外気温低減装置の概観図。
【図１１】本発明の他の実施例のプロジェクタの斜視図。
【符号の説明】
【００６９】
１０  プロジェクタ
１１  上面板                          １２  前面板
１３  背面板                          １４  右側板
１５  左側板                          １６  底面板
１７  排気孔                          １８  吸気孔
１９  レンズカバー                    ２０  ルーバー
２１  入出力コネクタ部                ２２  入出力インターフェース
２３  画像変換部                      ２４  表示エンコーダ
２５  ビデオＲＡＭ                    ２６  表示駆動部
３１  画像圧縮伸長部                  ３２  メモリカード
３５  Ｉｒ受信部                      ３６  Ｉｒ処理部
３７  キー／インジケータ部            ３８  制御部
４１  電源制御回路                    ４３  冷却ファン駆動制御部
４５  レンズモータ                    ４７  音声処理部
４８  スピーカ                        ５１  表示素子
５３  放熱板                          ５５  表示素子取付け板
６１  光源側光学系                    ６２  投影側光学系
６３  光源装置
６４  放電ランプ                      ６５  リフレクタ
６６  開口部                          ６８  防爆ガラス
７０  ミラー固定具                    ７１  カラーホイール
７２  第１反射ミラー                  ７３  ホイールモータ
７４  第２反射ミラー                  ７５  導光ロッド
８１  レンズ鏡筒                      ８３  光源側レンズ群
８５  照射ミラー                      ９１  固定鏡筒
９３  固定レンズ群                    ９５  可動鏡筒
９７  可動レンズ群
１０１  ランプ電源回路ブロック        １０３  制御回路基板
１１０  ブロア                        １１１  吸込み口
１１３  吐出口
１１４  排気温低減装置
１１５  ヒートパイプ                  １１６  フィン
１１７  排気ファン                    １１８  吸気ファン
１２０  光源室
１２１  第１隔壁                      １２２  第２隔壁
１２３  第３隔壁                      １２４  第４隔壁
１２５  第５隔壁                      １２６  第６隔壁
１２７  空冷室
１２８  第７隔壁
１３０  ハウスカバー
【図１】
2007148199.tif 000003
【図２】
2007148199.tif 000004
【図３】
2007148199.tif 000005
【図４】
2007148199.tif 000006
【図５】
2007148199.tif 000007
【図６】
2007148199.tif 000008
【図７】
2007148199.tif 000009
【図８】
2007148199.tif 000010
【図９】
2007148199.tif 000011
【図１０】
2007148199.tif 000012
【図１１】
2007148199.tif 000013